(57)【要約】      （修正有）【課題】既存の大人用ベッドに別体のベビーベッドを連接して親子で添寝する場合でも、両ベッドの間に隙間が生じることなく、かつ、両ベッドを連接させたままの状態で仕切りの枠を取付けることを可能とするベビーベッドを提供する。【解決手段】ベビーベッド１は、左右の妻枠２，３と、各妻枠２，３の間に配置される前枠４及び後枠５と、各枠によって囲まれる空間に、高さ位置を変更可能な状態で配置される床板６と、床板６上に配置されるマットレス７とを備えて構成されており、床板６は前端部が各妻枠２，３の前端側から所定寸法だけ突出する形状を有するとともに、前枠４は上前枠４１と下前枠４６とに分割し、上前枠４１を床板６上に取付けるようにする。【選択図】図１
0003197985.tif 000002
【実用新案登録請求の範囲】
【請求項１】
大人用ベッドと連接して使用することが可能なベビーベッドであって、前記ベビーベッドは、左右の妻枠と、前記各妻枠の間に配置される前枠及び後枠と、前記各枠によって囲まれる空間に、高さ位置を変更可能な状態で配置される床板と、前記床板上に配置されるマットレスとを備えて構成されており、前記床板は前端部が各妻枠の前端側から所定寸法だけ突出する形状を有するとともに、前記前枠は上前枠と下前枠とに分割し、前記上前枠を床板上に取付けるようにしたことを特徴とするベビーベッド。
【請求項２】
前記マットレスは、前記床板とほぼ同じ大きさで、かつ、所定の厚さを有して形成されるとともに、前端側の所定位置に長手方向に沿ってスリットを設け、前記スリットの位置において前端部を後方へ折り曲げ可能としたことを特徴とする請求項１に記載のベビーベッド。
【請求項３】
前記上前枠の上部側には、左右の妻枠の前端側が係合する凹部を設けた固定具を固着するようにしたことを特徴とする請求項１または２に記載のベビーベッド。
【請求項４】
前記ベビーベッドは、大人用ベッドと連接・固定するに際して固定用ベルトを用い、前記固定用ベルトは所定の長さを有し、その中途部にはプレートを設けるとともに、各端部側には雌雄のバックルを設け、更に、前記ベルトの一方の端部には輪状の手掛け部を形成するようにしたことを特徴とする請求項１ないし３のいずれかに記載のベビーベッド。
【考案の詳細な説明】
【技術分野】
【０００１】
本考案は、大人用ベッドと連接することにより添寝用ベッドとして使用することが可能なベビーベッドに関する。
【背景技術】
【０００２】
従来から、親が子供の隣で添寝するのに適したベッドが種々提案されている（例えば特許文献１〜３参照）。
然るに、特許文献１〜３に記載のベッドは、大人用ベッドとベビーベッドのセット（組）であるため、既に大人用ベッドがある場合には、当該ベッドを使用可能であるにも関わらず処分する等しなければならず、費用面での負担が大きくなるという問題があった。
また、特許文献１〜３に記載のベッドは、子供の世話をする際の利便性から、ベビーベッドと大人用ベッドとの間に仕切り枠が設けられていないため、子供が寝ている間に親がベッドを離れた隙に、子供が目を覚ましてベビーベッドから大人用ベッド側へ這い出し、大人用ベッドから床へ転落する虞れがあった。
【０００３】
一方、従来からあるベビーベッドを大人用ベッドと連接して使用することが考えられる。前記ベビーベッドは一般に、前後左右の各フレームによりベッドフレームを形成し、そのベッドフレームの高さ方向中間部に床板を取り外し可能に設けるとともに、床板と略同一の高さ位置で前フレームを上下に分割し、当該前フレームの上半部を下方にスライドまたは回動可能として構成されている（例えば特許文献４等）。
【先行技術文献】
【特許文献】
【０００４】
【特許文献１】実公昭５９−４１７４２号公報
【特許文献２】実公平１−３６４４１号公報
【特許文献３】特許第３９９４０３６号公報
【特許文献４】実開平６−５２６３０号公報
【考案の概要】
【考案が解決しようとする課題】
【０００５】
しかしながら、特許文献４に記載のベビーベッドにおいて、床板は各フレームの内側に配置されるとともに、前フレームは左右の各フレームの内側に配置され、上半部を前記左右のフレームに沿って下方へスライドさせたり、あるいは、蝶番等を介して下半部の外側へ回動させたりするようになっているので、親子が添寝する際にベビーベッドの前フレーム側を、上半部を開放した状態で大人用ベッドに連接すると、大人用ベッドのサイドフレームにはベビーベッドの左右の各フレーム、あるいは、前フレームの下半部の外側へ回動させた上半部が当接することとなり、床板と大人用ベッドとの間には隙間が生じ、特許文献１〜３に記載のベッドのように、大人用ベッドとベビーベッドとに連続性を持たせることができない。
【０００６】
また、特許文献４に記載のベビーベッドにおいては、子供が寝ている間に親がベッドを離れる際に、子供が目を覚ましてベビーベッドから這い出すのを防ぐために、ベビーベッドの前フレームの上半部を閉鎖することも可能であるが、ベビーベッドを大人用ベッドに連接したままの状態で、前フレームの上半部を左右のフレームに沿って上方へスライドさせたり、あるいは、下半部側に回動させた上半部を元の位置に戻したりする作業を行うことは非常に面倒かつ困難であるため、一旦ベビーベッドを大人用ベッドから離した状態で前記作業を行った後、再びベビーベッドを大人用ベッドに連接させなければならず、しかも、前記作業の際に発生する振動や音等によって子供が目を覚ましてしまう虞れもあった。
【０００７】
本考案は前記種々の問題点に鑑み、既存の大人用ベッドに別体のベビーベッドを連接して親子で添寝する場合でも、前記両ベッドの間に隙間が生じることなく、連続性を持たせることができるとともに、子供が寝ている間に親がベッドから離れる際に、両ベッドを連接させたままの状態で仕切りの枠を取付けることが可能なベビーベッドの提供を目的とする。
【課題を解決するための手段】
【０００８】
前記の課題を解決するために、本考案は以下のように構成されている。即ち、大人用ベッドと連接して使用することが可能なベビーベッドであって、前記ベビーベッドは、左右の妻枠と、前記各妻枠の間に配置される前枠及び後枠と、前記各枠によって囲まれる空間に、高さ位置を変更可能な状態で配置される床板と、前記床板上に配置されるマットレスとを備えて構成されており、前記床板は前端部が各妻枠の前端側から所定寸法だけ突出する形状を有するとともに、前記前枠は上前枠と下前枠とに分割し、前記上前枠を床板上に取付けるようにした。
また、前記マットレスは、前記床板とほぼ同じ大きさで、かつ、所定の厚さを有して形成されるとともに、前端側の所定位置に長手方向に沿ってスリットを設け、前記スリットの位置において前端部を後方へ折り曲げ可能とした。
更に、前記上前枠の上部側には、左右の妻枠の前端側が係合する凹部を設けた固定具を固着するようにした。
また、前記ベビーベッドは、大人用ベッドと連接・固定するに際して固定用ベルトを用い、前記固定用ベルトは所定の長さを有し、その中途部にはプレートを設けるとともに、各端部側には雌雄のバックルを設け、更に、前記ベルトの一方の端部には輪状の手掛け部を形成するようにした。
【考案の効果】
【０００９】
本考案に係るベビーベッドによれば、床板の前端部を各妻枠の前端側から所定寸法だけ突出する形状としたので、ベビーベッドを大人用ベッドに連接する際に、ベビーベッドの左右の妻枠の前端部が大人用ベッドのサイドフレームに当接したとしても、前記床板の前端部を介してベビーベッドを大人用ベッドに連接することが可能となり、この結果、前記床板と大人用ベッドとの間に隙間が生じるのを防ぐことができる。
また、前枠は、上前枠と下前枠とに分割し、前記上前枠を床板上に取付けるようにしたので、子供が寝ているときに親がベッドを離れる際に、ベビーベッドと大人用ベッドを連接したままの状態であっても、前記上前枠を取付けることが可能となり、この結果、親がベッドから離れている隙に目を覚ました子供がベビーベッドから這い出すのを防ぐことができる。
更に、床板上に配置されるマットレスは、前記床板とほぼ同じ大きさで形成されているが、上前枠を床板上に取付ける際には、前端側に設けたスリットの位置において前端部を後端側へ折り曲げることにより、前記上前枠の取付けに支障を来すことがない。しかも、上前枠を取外した状態にあっては、前端部を大人用ベッドのマットレスと当接する位置まで伸ばすことにより、ベビーベッドと大人用ベッドとに連続性を持たせることが可能となる。
また、上前枠の上部側には、左右の妻枠の前端側が係合する凹部を設けた固定具が固着されているので、子供が寝ているときに上前枠を取付ける際、固定具の凹部に妻枠の前端側が係合することにより、前記上前枠が誤って子供の上に倒れるのを防ぐことができる。その上、固定具の凹部に妻枠の前端側が係合することにより、前記妻枠が木材の反り等によって外側方向に拡開しようとするのを良好に防ぐことができる。
更に、ベビーベッドを大人用ベッドに連接・固定する際に用いる固定用ベルトには、その一端に輪状の手掛け部が設けられているので、大人用ベッド及びベビーベッドにベルトを巻掛けるとともに、前記ベルトの両端部に設けた雌雄のバックルを結合して仮固定した後、前記手掛け部を持ってベルトを締め付けることにより、容易にベルトの緩み（弛み）をなくすことが可能となり、この結果、ベビーベッドと大人用ベッドとの固定を確実なものとすることができる。
【図面の簡単な説明】
【００１０】
【図１】本考案に係るベビーベッドを示す斜視図である。
【図２】図１のＡ−Ａ線における断面図である。
【図３】本考案に係るベビーベッドを分解して示す斜視図である。
【図４】本考案に係るベビーベッドに使用するマットレスを示す斜視図である。
【図５】本考案に係るベビーベッドにおいて上前枠を取外した状態を示す斜視図である。
【図６】図５のＢ−Ｂ線における断面図である。
【図７】同図（ａ）は本考案に係るベビーベッドを大人用ベッドに連接して使用する状態を示す平面図、同図（ｂ）は同図（ａ）のＣ−Ｃ線における断面図である。
【図８】本考案に係るベビーベッドを大人用ベッドに連接する際に用いる固定用ベルトを示す斜視図である。
【図９】本考案に係るベビーベッドをサークルとして使用する状態を示す斜視図である。
【図１０】図９のＤ−Ｄ線における断面図である。
【図１１】本考案に係るベビーベッドをサークルとして使用する際に上前枠を取外した状態を示す斜視図である。
【考案を実施するための形態】
【００１１】
以下、本考案を実施するための形態について、図１ないし図１１を参照しながら具体的に説明する。図１は本考案に係るベビーベッドを示す斜視図、図２は図１のＡ−Ａ線における断面図、図３は本考案に係るベビーベッドを分解して示す斜視図、図４は本考案に係るベビーベッドに使用するマットレスを示す斜視図、図５は本考案に係るベビーベッドにおいて上前枠を取外した状態を示す斜視図、図６は図５のＢ−Ｂ線における断面図、図７（ａ）は本考案に係るベビーベッドを大人用ベッドに連接した状態を示す平面図、図７（ｂ）は図７（ａ）のＣ−Ｃ線における断面図、図８は本考案に係るベビーベッドを大人用ベッドに連接する際に用いる固定用ベルトを示す斜視図、図９は本考案に係るベビーベッドをサークルとして使用する状態を示す斜視図、図１０は図９のＤ−Ｄ線における断面図、図１１は本考案に係るベビーベッドをサークルとして使用する際に上前枠を取外した状態を示す斜視図である。
【００１２】
図１に本考案に係るベビーベッドを示す。図１に示すように、本考案に係るベビーベッド１は、左右の妻枠２，３と、前記各妻枠２，３の間に配置される前枠４及び後枠５と、前記各枠２〜５によって囲まれる空間に、高さ位置を変更可能な状態で配置される床板６と、前記床板６上に配置されるマットレス７とを備えて構成されている。なお、前記左右の妻枠２，３、前枠４、後枠５、床板６は、例えばノブボルト８を用いてそれぞれ固定されている。以下、前記各部材２〜７の詳細な構造について図３，４を参照しながら説明する。
【００１３】
図３に本考案に係るベビーベッド１を分解した状態を示す。図３に示すように、左右の妻枠２，３は同一形状をしており、前後一対の縦枠２１ａ，２１ｂ及び３１ａ，３１ｂと、縦枠２１ａ，２１ｂ間及び縦枠３１ａ，３１ｂ間の上部に配置される上横枠２２，３２と、縦枠２１ａ，２１ｂ間及び縦枠３１ａ，３１ｂ間であって、当該縦枠２１ａ，２１ｂ及び縦枠３１ａ，３１ｂの下端部から所定の高さ位置に配置される下横枠２３，３３と、縦枠２１ａ，２１ｂ間及び縦枠３１ａ，３１ｂ間に所定の間隔で配置される複数の縦桟２４，３４とを備えて構成される。
一方の縦枠（以下、前縦枠という）２１ａ，３１ａの上部側内面には複数（例えば８個）の係合穴２５，３５が上下方向に沿って所定の間隔で、かつ、前縦枠２１ａ，３１ａを貫通しない深さで穿設されているとともに（図３において前縦枠２１ａ側の係合穴２５は図示されていないが前縦枠３１ａ側の係合穴３５と同じ位置に穿設されている）、下部側には、当該前縦枠２１ａ，３１ａと床板６とを固定するためのノブボルト８が挿通される複数（例えば８個）の挿通穴２６，３６が、上下方向に沿って所定の間隔で穿孔されている。なお、前記複数の係合穴２５，３５の間隔と、複数の挿通穴２６，３６の間隔は、等しい（同一の）間隔となっている。
また、他方の縦枠（以下、後縦枠という）２１ｂ，３１ｂの上下方向における所定の２箇所には、当該後縦枠２１ｂ，３１ｂと後枠５とを固定するためのノブボルト８が挿通される挿通穴２７，３７が、所定の間隔を設けた状態で穿孔されている。
更に、下横枠２３，３３の左右方向における所定の２箇所には、当該下横枠２３，３３と後述する前枠４を構成する下前枠４６とを固定するためのノブボルト８が挿通される挿通穴２８，３８が、所定の間隔を設けた状態で穿孔されている。
【００１４】
前枠４は、図３に示すように、高さ方向の中間部付近において上下に分割された上前枠４１と下前枠４６からなる。上前枠４１及び下前枠４６は、ほぼ同一の形状（外観）をしており、上下の横枠４１ａ，４１ｂ及び４６ａ，４６ｂと、横枠４１ａ，４１ｂ及び横枠４６ａ，４６ｂの左右両端部において、当該横枠４１ａ，４１ｂ間及び横枠４６ａ、４６ｂ間に配置される左右の縦枠４１ｃ，４１ｄ及び４６ｃ，４６ｄと、縦枠４１ｃ，４１ｄ間及び縦枠４６ｃ，４６ｄ間に所定の間隔で配置される複数の縦桟４２，４７とを備えて構成されている。
上前枠４１における左右の縦枠４１ｃ，４１ｄの上部側には、左右の妻枠２，３における前縦枠２１ａ，３１ａに穿設した複数の係合穴２５，３５のうちの１つと係合する係合部材４３が、前記縦枠４１ｃ，４１ｄを貫通して係合穴２５，３５側へ突出する状態で設けられるとともに、前記係合部材４３の上方には、左右の妻枠２，３における前縦枠２１ａ，３１ａが係合する凹部４４ａを設けた固定具４４が固着されている。また、上前枠４１における下横枠４１ｂの下面には、左右方向における所定の２箇所にダボ４５が、所定の間隔を設けた状態で下向きに突設されている。
一方、下前枠４６における上横枠４６ａの上面には、左右方向における所定の２箇所に、上前枠４１の下面に突設したダボ４５が挿入される係合穴４８が、所定の間隔を設けた状態で、かつ、前記上横枠４６ａを貫通しない深さで穿設されており、また、下横枠４６ｂの左右方向における所定の２箇所には、前後方向に貫通する挿通穴４９が所定の間隔を設けた状態で穿孔されている。
【００１５】
後枠５は、図３に示すように、上下一対の横枠５１ａ，５１ｂと、横枠５１ａ，５１ｂの左右両端部において、当該横枠５１ａ，５１ｂ間に配置される左右の縦枠５２ａ，５２ｂと、縦枠５２ａ，５２ｂ間に所定の間隔で配置される複数の縦桟５３とを備えて構成されている。前記複数の縦桟５３，５３，・・・のうち、最も縦枠５２ａ，５２ｂ側に位置する縦桟５３Ｌ及び５３Ｒの下部側には、複数（例えば８個）の挿通穴５４が上下方向に沿って所定の間隔で穿孔されている。前記複数の挿通穴５４，５４，・・・のうちの１つには、後枠５の後方からボルト５５（図２参照）を挿通し、前記挿通穴５４から突出する端部に床板６の一端（後端）を支承するための床受ナット５６を螺合する。
なお、前記複数の挿通穴５４の間隔は、左右の妻枠２，３における前縦枠２１ａ，３１ａの上部側内面に穿設した複数の係合穴２５，３５の間隔、及び前記前縦枠２１ａ，３１ａの下部側に穿孔した複数の挿通穴２６，３６の間隔と等しい（同一の）間隔となっている。
【００１６】
床板６は、図３に示すように、矩形状の枠体６１の上面に複数枚（例えば４枚）の板材６２を、前後方向に所定の間隔を設けた状態で固着することにより簀子状に形成されている。床板６は、その前端部が、組立て時に左右の妻枠２，３における前縦枠２１ａ，３１ａ並びに前枠４よりも所定寸法だけ突出する形状を有している。また、床板６の前端部側には、左右方向における所定の２箇所に、上前枠４１の下面に突設したダボ４５が挿入される挿通穴６３が、所定の間隔を設けた状態で上下方向に穿孔されている。
【００１７】
図４に本考案に係るベビーベッド１に使用するマットレスを示す。マットレス７は床板６上に載置して使用するものであり、前記床板６とほぼ同じ大きさで、かつ、所定の厚さを備えて形成されている。前記マットレス７の一端（前端）側の所定位置には、長手（左右）方向に沿ってスリット７１が設けられ、このスリット７１の位置において前端部を後方へ折り曲げ可能としている（図４（ｂ）参照）。
【００１８】
次に、本考案に係るベビーベッド１を組立てる場合について説明する。
本考案に係るベビーベッド１を組立てるに当っては、まず、左右の妻枠２，３を後枠５にノブボルト８を用いて固定し、平面視コ字状の枠を形成する。即ち、左右の妻枠２，３における後縦枠２１ｂ，３１ｂに穿孔した挿通穴２７，２７及び３７，３７に、後縦枠２１ｂ，３１ｂの外側からノブボルト８を挿通し、当該ノブボルト８を左右の妻枠２，３の間に配置した後枠５の縦枠５２ａ，５２ｂ側面に螺合することにより、左右の妻枠２，３と後枠５とを固定し、平面視コ字状の枠を形成する。
【００１９】
つづいて、前記のように左右の妻枠２，３と後枠５とを固定することにより形成した平面視コ字状の枠に床板６を取付ける。
床板６の前端部側は、左右の妻枠２，３における前縦枠２１ａ，３１ａにノブボルト８を用いて固定するとともに、後端部は、後枠５の縦桟５３Ｌ，５３Ｒに床受ナット５６を介して支承する。
この際、前記前縦枠２１ａ，３１ａの下部側には、前記ノブボルト８が挿通される複数の挿通穴２６，２６，・・・及び３６，３６，・・・が上下方向に沿って所定の間隔で穿孔されており、また、前記縦桟５３Ｌ，５３Ｒの下部側には、床受ナット５６を螺合するためのボルト５５が挿通される複数の挿通穴５４，５４，・・・が上下方向に沿って所定の間隔で穿孔されているので、ノブボルト８及びボルト５５を挿通する挿通穴２６，３６，５４を選択・変更することにより、床板６を任意の高さ位置に取付けることができる（図１，２に示す例においては、例えば一番上の挿通穴２６，３６，５４が選択されている）。
なお、前記床板６の前端部は、図１，２に示すように、妻枠２，３における前縦枠２１ａ，３１ａよりも所定寸法だけ突出した状態となっている。
前記のように妻枠２，３及び後枠５からなる平面視コ字状の枠に床板６を取付けた後、前記床板６上には図５，６に示す如くマットレス７を載置する。
【００２０】
次に、上前枠４１を床板６上に取付ける。
上前枠４１を取付ける場合、床板６上に載置したマットレス７は、図２に示すように、その前端部をスリット７１の位置において後枠５側へ折り曲げておく。
床板６の前端部側には上下方向に貫通する挿通穴６３が、左右方向における所定の２箇所に穿孔されているので、この挿通穴６３に上前枠４１の下面に突設したダボ４５を係合するとともに、上前枠４１の上部側に設けた係合部材４３を、左右の妻枠２，３における前縦枠２１ａ，３１ａの上部側内面に穿設した複数の係合穴２５，２５，・・・及び３５，３５，・・・のうちの１つ（図１，２に示す例においては、例えば一番上の係合穴２５，３５）に係合させることにより、上前枠４１を前後方向への揺動を防いだ状態で取付ける。
また、前記係合部材４３の上方には、妻枠２，３における前縦枠２１ａ，３１ａの前端側が係合する凹部４４ａを設けた固定具４４が固着されているので、上前枠４１を床板６上に取付けた後、係合部材４３と係合穴２５，３５とを係合する前の段階で、前記固定具４４の凹部に前縦枠２１ａ，３１ａの前端側が係合することにより、上前枠４１が後方（後枠５側）へ傾倒するのを防ぐことができるとともに、妻枠２，３が板材の反り等によって外側へ拡開しようとするのを防ぐこともできる。
【００２１】
なお、図１，２に示す例において、下前枠４６は、左右の妻枠２，３の下横枠２３，３３に横倒しの状態でノブボルト８を用いて固定され、物置棚として使用される。この場合、前記妻枠２，３における下横枠２３，３３には、左右方向における所定の２箇所に挿通穴２８，２８及び３８，３８が、所定の間隔を設けた状態で穿孔されているので、これら挿通穴２８，２８及び３８，３８に下横枠２３，３３の外側からノブボルト８を挿通し、当該ノブボルト８を横倒しにした下前枠４６の左右の縦枠４６ｃ，４６ｄに螺合することにより、下前枠４６は下横枠２３，３３に固定される。
【００２２】
図５，６に本考案に係るベビーベッド１において上前枠４１を取外した状態を、図７に前記のように上前枠４１を取外したベビーベッド１を大人用ベッドに連接して添寝用ベッドとして使用する場合の一例をそれぞれ示す。
図７に示すように、大人用ベッド１００は、フレーム１０１と、このフレーム１０１上に載置されるマットレス１０２とを備えて構成されている。
また、本考案においては、ベビーベッド１を大人用ベッド１００に連接・固定するに際し、固定用ベルト１０を用いる。図８に本考案において使用する固定用ベルト１０を示す。図８に示すように、固定用ベルト１０は所定の長さ（例えば、ワイドダブルサイズの大人用ベッドに対応可能な長さ）を有し、その中途部には例えば金属製のプレート１１を設けるとともに、一方端側には雌バックル１２ａが、他方端側には雄バックル１２ｂがそれぞれ設けられている。１３は余剰のベルト１０を纏めるための面ファスナーである。なお、ベルト１０の一方端側には、雌バックル１２ａからの抜脱を防ぐとともに、ベビーベッド１を大人用ベッド１００に連接した際のベルト１０の緩み（弛み）を修正するために用いる輪状の手掛け部１０ａが形成されており、また、ベルト１０の他方端側には雄バックル１２ｂからの抜脱を防ぐために折返し部１０ｂが形成されている。
【００２３】
ベビーベッド１を大人用ベッド１００に連接するに際しては、まず、上前枠４１の上部側に設けた係合部材４３と、妻枠２，３における前縦枠２１ａ，３１ａに穿設した係合穴２５，３５との係合を解除し、かつ、前記上前枠４１を前方へ傾斜させつつ上方へ持ち上げて、固定具４４の凹部４４ａと前記前縦枠２１ａ，３１ａとの係合を解除することにより、図５，６に示すように前記上前枠４１をベビーベッド１から取外す。
つづいて、図７に示すように固定用ベルト１０を大人用ベッド１００のフレーム１０１とマットレス１０２との間に挟み込むとともに、ベルト１０の中途部に設けたプレート１１を、フレーム１０１及びマットレス１０２の一方の側面（ベビーベッド１を連接しない側の側面）に跨るように当接させる。この状態で、大人用ベッド１００の他方の側面（ベビーベッド１を連接する側の側面）からベルト１０の端部を引き出すとともに、ベビーベッド１の前端側を大人用ベッド１００の他方の側面に当接させる。このとき、床板６の高さ位置は、当該床板６上に載置されるマットレス７と大人用ベッド１００のマットレス１０２とが面一となるように予め調整しておく。そして、前記ベルト１０をベビーベッド１の左右の妻枠２，３における縦桟２４，３４及び後枠５における縦桟５３，５３Ｌ，５３Ｒの外周に巻掛けるとともに、ベルト１０の各端部に設けた雌雄のバックル１２ａ，１２ｂを結合する。この後、前記のように雌雄のバックル１２ａ，１２ｂを結合しただけでは、ベルト１０に緩み（弛み）が発生している可能性があるので、雌バックル１２ａを設けた側の端部に形成した輪状の手掛け部１０ａを持ってベルト１０を締め付け、ベビーベッド１と大人用ベッド１００との固定を確実なものとする。
【００２４】
以上説明したように、本考案に係るベビーベッド１によれば、大人用ベッド１００と連接した際、床板６及びマットレス７の前端部が大人用ベッド１００のマットレス１０２と当接するので、ベビーベッド１と大人用ベッド１００とを隙間なく連続性を持たせた状態で連接することができる。
また、床板６上に載置されるマットレス７は、前端側に設けたスリット７１の位置において折り曲げることができるので、ベビーベッド１を大人用ベッド１００に連接したままの状態で床板６上に上前枠４１を取付ける際に、前記マットレス７が邪魔になることがない。
更に、ベビーベッド１を大人用ベッド１００に連接・固定する際に用いる固定用ベルト１０には、その一端に輪状の手掛け部１０ａを設けたので、前記手掛け部１０ａを持って固定用ベルト１０を締め付けることにより、ベビーベッド１と大人用ベッド１００との固定を確実なものとすることができる。
【００２５】
図９〜図１１に本考案に係るベビーベッド１をサークルとして使用する例を示す。
ベビーベッド１をサークルとして使用する場合、上前枠４１，下前枠４６及び床板６の取付け方が、ベッドとして使用する場合と異なっているので、この点について説明する。なお、左右の妻枠２，３と後枠５との固定方法については異なる部分がないため、説明を省略する。
【００２６】
ベビーベッド１をサークルとして使用する場合、まず、下前枠４６を左右の妻枠２，３における前縦枠２１ａ，３１ａの下部側に固定する。このとき、前縦枠２１ａ，３１ａの下部側には複数の挿通穴２６，３６が高さ方向に沿って所定の間隔で穿孔されており、これら複数の挿通穴２６，３６のうちの所定の２箇所（例えば上から２番目と一番下）にノブボルト８を、前縦枠２１ａ，３１ａの外側から挿通し、下前枠４６の縦枠４６ｃ，４６ｄに螺合することにより、前記下前枠４６と左右の妻枠２，３とを固定する。
つづいて、床板６を取付ける。床板６を取付ける場合、ベッドとして使用する場合とは前後を逆向きにして取付ける。即ち、床板６の前端側における左右方向の２箇所には上下方向に貫通する挿通穴６３が穿孔されており、これら挿通穴６３，６３にノブボルト８を床板６の下方から挿通し、後枠５の下横枠５１ｂの下面に螺合することにより、前記床板６と後枠５とを固定する。一方、下前枠４６の下横枠４６ｂにおける左右方向の２箇所には前後方向に貫通する挿通穴４９が所定の間隔で穿孔されており、これら挿通穴４９，４９にボルト５５を下横枠４６ｂの前方から挿通し、前記挿通穴４９から突出する端部に床受ナット５６を螺合するとともに、前記床受ナット５６上に床板６を載置する。
この後、下前枠４６の上横枠４６ａの左右方向における所定の２箇所に穿設した係合穴４８，４８に、上前枠４１の下横枠４１ｂ下面に突設したダボ４５，４５を係合するとともに、左右の縦枠４１ｃ，４１ｄの上部側に設けた係合部材４３，４３を、左右の妻枠２，３の前縦枠２１ａ，３１ａにおける上部側に穿設した複数の係合穴２５，３５のうちの１つに係合させることにより、上前枠４１を取付ける。
【００２７】
以上のように組立てることにより、ベビーベッド１をサークルとしても使用することができる。
また、床板６をベッドとして使用するときとは前後を逆向きにして取付けることにより、床板６の上面から足掛かりとなる横枠までの高さを基準の数値以上とすることが可能となり、安全基準を満たしたサークルとして使用することが可能となる。
更に、前枠４は上前枠４１と下前枠４６とに分割されているので、前記上前枠４１を取外すことにより（図１１参照）、サークル内の子供を抱き上げる等の動作を容易に行うことができる。
【００２８】
以上のように、本考案に係るベビーベッド１は、独立したベッドとして使用可能であるだけでなく、大人用ベッド１００に固定用ベルト１０を用いて連接・固定することにより添寝用ベッドとしても使用可能であり、更には、一部構成部材を組み替えることによりサークルとしても使用可能であるので大変利便である。
また、床板６は、前端側が左右の妻枠２，３における前縦枠２１ａ，３１ａよりも所定寸法だけ突出するように構成されているので、ベビーベッド１を大人用ベッド１００に連接して添寝用ベッドとして使用する際に、前記前端側が大人用ベッド１００と当接することにより、大人用ベッド１００との間に隙間ができるのを防ぐことが可能となる。しかも、上前枠４１を床板６上に取付けることができるので、子供が寝ている間に親がベッドを離れる際に、ベビーベッド１と大人用ベッド１００とを連接したままの状態で、上前枠４１を取付けることが可能となり、この結果、子供が目を覚ましてベビーベッド１から這い出すのを防ぐことができる。
更に、床板６上に載置されるマットレス７は、前端側にスリット７１を設け、このスリット７１の位置において折り曲げ可能としているので、床板６に上前枠４１を取付ける際に支障を来すことがない。また、上前枠４１を取外した際には、マットレス７の前端部を伸ばして大人用ベッド１００のマットレス１０２に当接させることにより、ベビーベッド１と大人用ベッド１００とに連続性を持たせることができる。
また、上前枠４１の上部側には、左右の妻枠２，３の前縦枠２１ａ，３１ａが係合する凹部４４を設けた固定具４４が固着されているので、前記上前枠４１が内側方向（後方）へ傾倒するのを防ぐことができるとともに、妻枠２，３が板材の反り等によって外側に拡開しようとするのを防ぐことができる。
更に、ベビーベッド１と大人用ベッド１００とを連接する際に用いる固定用ベルト１０は、その一端部に輪状の手掛け部１０ａを設けたので、前記手掛け部１０ａを持ってベルト１０を締め付けることにより、容易にベルト１０の緩み（弛み）を無くして、ベビーベッド１と大人用ベッド１００との固定を確実なものとすることができる。
【符号の説明】
【００２９】
１  ベビーベッド
２，３  妻枠
２１ａ，３１ａ  前縦枠
２５，３５  係合穴
２６，３６  挿通穴
４  前枠
４１  上前枠
４３  係止部材
４４  固定具
４４ａ  凹部
４５  ダボ
４６  下前枠
４８，４９  挿通穴
５  後枠
５３，５３Ｌ，５３Ｒ  縦桟
５４  挿通穴
５５  ボルト
５６  床受ナット
６  床板
６３  挿通穴
７  マットレス
７１  スリット
８  ノブボルト
１０  固定用ベルト
１０ａ  手掛け部
１００  大人用ベッド
１０２  マットレス
【図１】
0003197985.tif 000003
【図２】
0003197985.tif 000004
【図３】
0003197985.tif 000005
【図４】
0003197985.tif 000006
【図５】
0003197985.tif 000007
【図６】
0003197985.tif 000008
【図７】
0003197985.tif 000009
【図８】
0003197985.tif 000010
【図９】
0003197985.tif 000011
【図１０】
0003197985.tif 000012
【図１１】
0003197985.tif 000013